(57)【特許請求の範囲】
【請求項１】
天板を支持し、左右の天板受部に続いて形成された左右の脚の下端部に、ソファーの座部下面と床面との間の隙間に入り込める高さの板状にして、下面に低摩擦シートを直接貼り付けた足部を前記脚からそれぞれ前方へ延びるように設け、かつ前記天板の高さがソファーの座者の膝が入り込める高さにしてあって、前記天板受部と足部との間に、長さ調節可能な補強ロッドを設けてなるソファー用テーブル。
【請求項２】
前記脚が長さ調節可能であって、天板の高さを調節することができるように構成してなる請求項１に記載のソファー用テーブル。
【請求項３】
前記補強ロッドは、上下端部に先端が円錐状をなすキャップを備え、下端部のキャップは前記足部の上面に設けた凹部に、上端部のキャップは前記天板受部にあけた孔に嵌めて取り付けるように構成してなる請求項１に記載のソファー用テーブル。
【発明の詳細な説明】
【０００１】
【発明の属する技術分野】
本発明はソファーに座った状態で使用するのに好適なテーブルに関する。
【０００２】
【従来の技術とその問題点】
応接セットはソファーとテーブルがセットになっているが、テーブルは高さの低いものとなっている。
したがってソファーに座った状態では座者の膝を天板の下に入れることはできず、テーブルでのデスクワークは姿勢が前かがみとなり、長時間の仕事では疲れたり腰を傷める等、人間工学的に好ましくない。
【０００３】
それなら別室等の事務用デスクで仕事すればよいわけであるが、わざわざ事務用デスクで仕事することはいかにも煩わしく、テレビを見ながらリラックスして仕事しているときには席を移るのが億劫であることが多い。
【０００４】
【目的】
本発明は、ソファーに座りながら疲れたり腰を傷めたりすることなく、デスクワークを楽にできる人間工学的に優れたソファー用テーブルを提供できるようにした。
【０００５】
【本発明の構成】
上記目的を達成するために、本発明の請求項１に係るソファー用テーブルは、天板を支持し、左右の天板受部に続いて形成された左右の脚の下端部に、ソファーの座部下面と床面との間の隙間に入り込める高さの板状にして、下面に低摩擦シートを直接貼り付けた足部を前記脚からそれぞれ前方へ延びるように設け、かつ前記天板の高さがソファーの座者の膝が入り込める高さにしてあって、前記天板受部と足部との間に、長さ調節可能な補強ロッドを設けてなるものとしてある。
【０００６】
また、本発明の請求項２に係るソファー用テーブルは、前記脚が長さ調節可能であって、天板の高さを調節することができるように構成したものとしてある。
【０００７】
さらに、本発明の請求項３に係るソファー用テーブルは、前記補強ロッドを、上下端部に先端が円錐状をなすキャップを備え、下端部のキャップは前記足部の上面に設けた凹部に、上端部のキャップは前記天板受部にあけた孔に嵌めて取り付けるようにした構成のものとしてある。
【０００８】
【実施例】
以下、本発明に係るソファー用テーブルの実施例を添付図面に示す具体例に基づいて詳細に説明する。
天板１を支承する左右２本の脚体２、２は、それぞれ天板１の下面に取り付けられた天板受部３と、この天板受部の後端から下方に垂下する脚４と、この脚の下端から前方（座者側）に延びる足部５よりなり、脚４は上脚部４ａと下脚部４ｂに分割されていて、上脚部４ａと下脚部４ｂ間は中継部材６で接続されている。
【０００９】
前記天板受部３と上脚部４ａ及び足部５と下脚部４ｂは例えば厚さ１０ｍｍ、幅５ｃｍ程度のアルミニウム板を折り曲げ加工してなるＬ字状の板材でそれぞれ構成されていて、足部５の厚さ（高さ）をソファーの座部下面と床面との間の隙間に入れ込むことができるようにしてある。
また、脚４の長さは、天板の高さがソファーの座者の膝が入り込める高さとなるようにしてあって、例えば５０〜６０ｃｍとしてある。
【００１０】
前記中継部材６は、図３に示されるように上下の脚部４ａ、４ｂの厚さとほぼ同じ深さの溝６ａを上下方向に有し、この溝内に複数個の雌ねじ筒７、７を上下方向に等間隔で、例えば７個の雌ねじ筒を５ｃｍ間隔で埋設したものとしてある。
【００１１】
前記下脚部４ｂはこの下脚部の上端部寄りに上下にあけたねじ孔８、８に挿通した皿頭ねじ９、９を中継部材６の下側の雌ねじ筒７、７に螺合させることによって中継部材にねじ止めされている。
【００１２】
また、上脚部４ａには上下方向に複数個のねじ孔１０、１０が等間隔に、例えば７個のねじ孔が２．５ｃｍ間隔であけられていて、前記中継部材６の雌ねじ筒７、７がいずれかのねじ孔を連通するように上脚部と中継部材との相対位置を合わせ、雌ねじ筒に連通するねじ孔から皿頭ねじ９、９を挿通して雌ねじ筒に螺合させ、上脚部４ａと中継部材とをねじ止めしてある。
【００１３】
なお、上脚部４ａの上下のねじ孔１０、１０間にはねじ９のねじ部の径よりも若干幅の大なるスリット１１を形成してあって、全てのねじを取り外さなくてもねじを途中まで緩めて上脚部４ａを上下にずらすだけで、脚４の長さを容易に調節することができる。
【００１４】
図３に示される具体例の場合では、上脚部４ａを固定している最も下位のねじ９を取り外すとともに残り３つのねじを頭部がねじ孔から突出するまで緩めることにより、上脚部をねじ孔１つ分の２．５ｃｍあるいはねじ孔２つ分の５ｃｍ上方へ移動させる、すなわち天板１の高さを２．５ｃｍあるいは５ｃｍ上昇させることができ、上脚部を下方へ移動させて天板の高さを下げることも同様に行なうことができる。
【００１５】
また、図４に示されるように天板１にも天板受部３の厚さとほぼ同じ程度の深さの溝１ａが前後方向に形成されていて、前述した中継部材６と同様に溝１ａ内に複数の雌ねじ筒７、７が前後方向に等間隔で埋設されており、天板受部３の前後方向に等間隔であけたねじ孔１２、１２に挿通された皿頭ねじ９、９を雌ねじ筒に螺合することにより天板１を天板受部３にねじ止めしてあり、天板受部３のねじ孔１２、１２間も前述した上脚部４ａのねじ孔と同様にスリット１３を形成してあって、ねじを緩めることによって天板の取り付け位置を前後方向に調節できるようになっている。
【００１６】
なお、上述した各ねじ孔８、１０、１２はいずれも皿頭ねじ９、９の頭部を収容できるテーパー状に形成されていて、ねじの頭部がねじ孔から突出しないようにしてある。
【００１７】
前記脚体２、２の各足部５と天板受部３との間には、長さ調節可能な補強ロッド１４を取り付けてあり、また、左右の足部５、５間には補強板１５を取り付けてあって、天板１への荷重や脚体２、２へのねじれに対して充分な強度が得られるようにしてある。
【００１８】
前記補強ロッド１４は、例えば図５に示されるように下部筒１６内に下部が挿入された上部筒１７の突出量を調節できる構造のものとしてあって、具体的には下部筒１６内に立設されたねじ棒１６ａに上部筒１７の下端に固定したナット１７ａが螺合し、上部筒１７を下部筒１６に対して正逆回動させることによって長さを調節できるようになっており、前述した中継部材６における脚の長さ調節を行なう際に、脚の長さに合わせてこの補強ロッドの長さも調節する。
【００１９】
この補強ロッド１４の上下端部にはそれぞれ先端が円錐状のキャップ１４ｂ、１４ａを取り付けてあり、下端のキャップ１４ａの先端は足部５の上面に形成した凹部１８に、上端のキャップ１４ｂの先端は天板受部３の前記ねじ孔１１、１１のうち、ねじ止めされていない部分にそれぞれ嵌められて横ずれを防止してある。
【００２０】
前記足部５、５の下面には、例えばテトラフルオロエチレン樹脂等の表面摩擦係数の小なる材質よりなる厚さ１ｍｍ程度の低摩擦シート１９、１９を貼り付けてあり、テーブルを持ち上げることなく床面上を任意の方向に滑らせて移動できるようにしてある。
【００２１】
上述のように構成された本発明のソファー用テーブルは図６に示されるように、ソファー２０の座部下面２０ａと床面２１間に足部５を入れ込むことができ、しかも天板の高さを座者の脚を下に入れることができる高さに調節することができるので、ソファー２０に座者２２が深く座った状態で天板１を手前に引き寄せて使用することができ、前かがみ等の不自然な姿勢を取ることなく、同図６に示した使用例のように天板１上に載せたパソコン２３の操作等の天板上での作業をリラックスした状態で行なうことができる。
【００２２】
また、上述した構成の本発明のソファー用テーブルは天板の前後位置も調節できるので、座者の体格やソファーの高さに合わせて天板を最も使い易い前後位置に設定することもできる。
【００２３】
図７、８は本発明のソファー用テーブルに、さらに足載せ台２４を取り付けた例を示しており、この足載せ台２４は横桁材２５の中央上面にクッション２６がねじ２７、２７で固定され、横桁材の左右端部を前記中継部材６前面に取り付けられている上下の脚部４ａ、４ｂ間に着脱可能に取り付けてある。
【００２４】
具体的には、横桁材２５の左右端部を中継部材６の上下の脚部４ａ、４ｂ間にに前後方向にあけたねじ孔２８、２８を通して前記中継部材５の上下の脚部間にある雌ねじ筒６、６へねじ２９、２９を螺合して取り付けてある。
【００２５】
上述のように脚４、４間に足載せ台２４を取り付けることにより、座者２２がさらにリラックスした姿勢でテーブルを使用することができるとともに、足載せ台２４が脚４、４間の補強材としても機能し、テーブルの強度がより大となるというメリットもある。
【００２６】
上述した実施例においては、脚体２を厚さ１０ｍｍ程度の板材で構成してあるが、足部の高さをソファーの座部下面と床面との間に入り込むことができる高さにすればよい。
【００２７】
【発明の効果】
本発明に係るソファー用テーブルによれば、天板を支持する脚の下端から前方へ延びる足部が、ソファーの座部下面と床面との間の隙間に入れ込むことのできる高さとしてあり、かつ天板の高さをソファーの座者の膝が入り込める高さとしてある。
【００２８】
したがって座者は天板を手前に引き寄せて使用することができ、従来のソファー用テーブルのように前かがみの不自然な姿勢を強いられることなく、ソファーに深く座ってリラックスした状態でテーブルを使用することができ、ソファーに座りながらでも疲れたり腰を傷めたりすることなく楽にデスクワークをすることができる。
【００２９】
また、天板の高さおよび前後位置を座者の体格やソファーのサイズに合わせて自在に調節することもできるので、座者はよりリラックスした自然な状態でテーブルを使用することができる。
【図面の簡単な説明】
【図１】本発明に係るソファー用テーブルの実施例を示す斜視図。
【図２】本発明に係るソファー用テーブルの実施例を示す縦断側面図。
【図３】脚の要部拡大縦断側面図。
【図４】天板取付部の拡大断側面図。
【図５】補強用ロッドの縦断面図。
【図６】本発明に係るソファー用テーブルの使用状態を示す側面図。
【図７】本発明に係るソファー用テーブルの他の実施例を示す斜視図。
【図８】図７のＡ−Ａ線矢視平面図。
【符号の説明】
１  天板                      ２  脚体
３  天板受部                  ４  脚
５  足部                      ６  中継部材
７  雌ねじ筒                  ８  ねじ孔
９  ねじ                    １０  ねじ孔
１１  スリット                １２  ねじ孔
１３  スリット                １４  補強ロッド
１５  補強板                  １６  下部筒
１７  上部筒                  １８  凹部
１９  低摩擦シート            ２０  ソファー
２１  床面                    ２２  座者
２３  パソコン                ２４  足載せ台
２５  横桁材                  ２６  クッション
２７  ねじ                    ２８  ねじ孔
２９  ねじ
【図１】
0003749117.tif 000002
【図２】
0003749117.tif 000003
【図３】
0003749117.tif 000004
【図４】
0003749117.tif 000005
【図５】
0003749117.tif 000006
【図６】
0003749117.tif 000007
【図７】
0003749117.tif 000008
【図８】
0003749117.tif 000009